(57)【要約】      （修正有）【課題】座接可能な被介護人をトイレや自分の希望する場所にほぼ自力で移動出来るようにし、操作性も安全性もよい介護用移動具を提供する。【解決手段】キャスタ８により支持されて立設している左右独立のガイド柱体４に手動又は電動で上下動可能に支持されている摺動柱体５が保持されている。この摺動柱体には座接用サイドフレーム１が片持ち支持されており、これにクッション板が片持ち支持されている。座接用サイドフレームは手動又は電動で回動可能に支持され、座接用サイドフレームとクッション板には背当て板３が取り付けられている。被介護人はクッション板に座接して目的の場所でクッション板を回動し用便等をすることが出来る。【選択図】図３
0003208305.tif 000002
【実用新案登録請求の範囲】
【請求項１】
ベット等に座接している被介護人を自力で安全に座接して移動出来る介護用移動具であって、該移動具はキャスタを下端に有し左右に立設する一対のガイド柱体と、該ガイド柱体に上下に摺動可能に保持される摺動柱体と、該摺動柱体にその基端側を回動可能に支持され前方に向かって張り出す枠体状に形成される座接用サイドフレームと、該座接用サイドフレームに片持ち支持されて中央側に張り出しているクッション板と、前記座接用サイドフレームの前端側に固定され前記クッション板上に座接する被介護人の背面を保持する背当て板と、前記摺動柱体の上部に配置され座接した被介護人を安定保持するための把持具とからなり、前記摺動柱体の上下動の操作手段は手動又は電動のものからなり前記摺動柱体の片方側に主動部が形成されて左右の前記摺動柱体を上下作動する構造のものからなることを特徴とする介護用移動具。
【請求項２】
前記座接用サイドフレームの回動手段が手動又は電動のものからなることを特徴とする請求項１に記載の介護用移動具。
【考案の詳細な説明】
【技術分野】
【０００１】  本考案は、例えばベットに座接状態になることは出来るが自分の希望する場所に１人では行けないような状態の被介護人がほぼ１人で座接可能であり、人力で希望する場所、例えばトイレ等に行く事が出来て用便可能に形成されており、比較的簡便な構造で安価に入手可能な介護用移動具に関する。
【背景技術】
【０００２】  臥位や座位状態にあって自分の希望する次工程側（例えば、用便のトイレ，シャワーの場所，座椅子，ベット等）に自由に移動出来ない被介護人にとっては介護人の力を借りて移動する事が必要であるが、そのための移動具に被介護人を簡単に座接させるには何等かの補助具が必要となる。このため各種の補助具があるが本願に比較的近いものとしては「特許文献１」が挙げられる。
【先行技術文献】
【特許文献】
【０００３】
【特許文献１】実用新案公開平５−９６６５０号（図１）
【考案の概要】
【考案が解決しようとする課題】
【０００４】  「特許文献１」の「実用新案公開平５−９１６５０号」の「身体持ち上げ具」は支持柱（５）に身体支持腕（７）を回動及び上下動自在に支持し、この身体支持腕（７）を被介護人の尻部等に押し入れて持ち上げ移動する構造のものからなる。【０００５】  この「特許文献１」の「身体持ち上げ具」そのものは有益のものと思われるが、被介護人を持ち上げる動作については不明であり、容易に持ち上げ体制に被介護人を位置付けることについては記載されていない。
臥位や座位状態にある被介護人はこちらの要望する姿勢に自身で位置移動することが一般に困難であり、すばらしい持ち上げ具が仮りにあっても被介護人の負担にならない道具であることが必要である。【０００６】  特許文献として開示されているものではないが、一枚の板状のプレートを被介護人の尻部に挿入して被介護人を持ち上げるものがあるが、介護人にとってはその動作が大変であり、被介護人もこの動作による身体的の負担も大きく適切の補助具とは言えない。【０００７】  また、同一出願人による実用新案登録第３１９５７８８号の介護用椅子型補助具がある。このものは人体の尻部に当接するアンダーベースが縦棒を基点として回動する構造のものからなり、補助具として有効のものであるが操作性が簡便でなくアンダーベースの上下動の操作についても明確でなくやや不十分の構造のものからなる。【０００８】  本考案は、以上の問題点を解決すべく考案されたものであり、構造が簡単なシンプルのものからなり、操作性もよく、安全性もよく被介護人としても容易に取り扱い可能な介護用移動具を提供することを目的とする。
【課題を解決するための手段】
【０００９】  本考案は、以上の目的を達成するために、請求項１の考案は、ベット等に座接している被介護人を自力で安全に座接して移動出来る介護用移動具であって、該移動具はキャスタを下端に有し左右に立設する一対のガイド柱体と、該ガイド柱体に上下に摺動可能に保持される摺動柱体と、該摺動柱体にその基端側を回動可能に支持され前方に向かって張り出す枠体状に形成される座接用サイドフレームと、該座接用サイドフレームに片持ち支持されて中央側に張り出しているクッション板と、前記座接用サイドフレームの前端側に固定され前記クッション板上に座接する被介護人の背面を保持する背当て板と、前記摺動柱体の上部に配置され座接した被介護人を安定保持するための把持具とからなり、前記摺動柱体の上下動の操作手段は手動又は電動のものからなり前記摺動柱体の片方側に主動部が形成されて左右の前記摺動柱体を上下作動する構造のものからなることを特徴とする。【００１０】  また、請求項２の考案は、前記座接用サイドフレームの回動手段が手動又は電動のものからなることを特徴とする。
【考案の効果】
【００１１】  本考案の請求項１の介護用移動具によれば、キャスタを有する左右のガイド柱体とこれに上下動可能に支持されている摺動柱体がクロスメンバの如き連結材なしに夫々立設して配置され、その間の空間に足を挿入することが容易に出来る。また、被介護人が座接する座接用サイドフレーム及びこれに保持されているクッション板が左右のいずれか一方の摺動柱体側に配置されている操作手段によって手動又は電動で操作され、操作性の向上を図ることが出来る。また、クッション板には座接している被介護人の背面に当接する背当て板が一体的に形成され、かつ把持具も有り安全性の向上を図ることが出来る。【００１２】  また、請求項２の介護用移動具によれば、座接用サイドフレームの回動が手動又は電動により操作され、操作性の向上を図ることが出来る。
【図面の簡単な説明】
【００１３】
【図１】本考案の介護用移動具の全体構造を示す正面図。
【図２】図１の側面図。
【図３】図１の平面図（クッション板の回動状態が示されている）。
【考案を実施するための形態】
【００１４】  以下、本考案の介護用移動具の実施の形態を図面を参照して詳述する。
【実施例】
【００１５】  本実施例では摺動柱体の上下動の操作手段は手動のものが示されているが、勿論電動によって操作するものもあるがここでは省略している。また、座接用サイドフレームやクッション板の回動操作については手動又は電動によって行われるがそれ等の構造については公知的技術であり、ここでは省略している。【００１６】  図１乃至図３に示すように本考案の介護用移動具１００はキャスタ８を有するガイド柱体４とこれに上下動可能に支持されている摺動柱体５とこれに片持ち支持されて回動する座接用サイドフレーム１とこれに片持ち支持されて中央側に張り出して配置されているクッション板２とクッション板２に座接する被介護人の背面に当接して保持する背当て板３と摺動柱体５の上部に配置されて被介護人の安全性を確保するための把持具６等とからなる。また、摺動柱体５を上下動するための操作手段２００等とから構成されている。また、座接用サイドフレーム１にはこれを回動するためのリリースボタン７が表示されているがこの詳細構造についてはここでは省略する。【００１７】  操作手段２００はここでは手動のものからなり、ハンドル２０１を回転することにより左右の摺動柱体５が上下動しこれに伴って座接用サイドフレーム１及びクッション板２が上下動する。【００１８】  一方、リリースボタン７の操作により図３に示すように座接用サイドフレーム１とクッション板２が回動する。【００１９】  本考案の以上の構造の介護用移動具１００の使用方法について以下に説明する。
まず、介護用移動具１００のクッション板２の高さを調整して被介護人（図略）の膝の下にクッション板２が挿入可能の高さにする。また、この場合クッション板２は外方に開いている状態にする。被介護人は左右の摺動柱体５間の開いている空間内に両足を挿入しながら開いているクッション板２の上に両膝を乗せながら把持具６を把持しながら前進し、両膝がクッション板２に部分的に乗った状態でリリースボタン７を用いて座接用サイドフレーム１を内側に回動しクッション板２の上に尻部を乗せる。この動作は難しくなく比較的容易に出来る。この状態では被介護人は尻部をクッション板２の上に完全に保護されると共に背当て板によって背面を支持される。よって安全な姿勢になる。この安全の姿勢になったら把持具６を把持しながら介護用移動具１００を移動させる。この移動はキャスタ８があるため容易に出来る。従って希望する場所、例えばトイレ等に行くことが自分で出来る。トイレに行ったら座接用サイドフレーム１を外方に開きながらトイレの座板上に尻部を乗せる。これにより用便をすることが出来る。用便済になったら再びクッション板２を尻部に当る状態に座接用サイドフレーム１を内側に回動する。これにより移動可能となり元の位置（ベット等）に移動して戻ることが出来る。
以上の動作は本考案の介護用移動具１００では容易に、かつ安全に出来、これがこの介護用移動具の特徴であり、他のものと大きく相違する内容である。
ベット等に戻った被介護人はクッション板２を外開きしながらクッション板２を尻部から膝下に移動させながら尻部をベット上に乗せて元の状態にする事が出来る。【００２０】  本考案は以上の説明の内容からなるがこの内容に限定するものではなく、公知技術や同一技術的範疇のものが適用されることは勿論である。
【産業上の利用可能性】
【００２１】  本考案は座接可能な被介護人の移動のすべてに適用され、その利用範囲は極めて広い。
【符号の説明】
【００２２】１      座接用サイドフレーム
２      クッション板
３      背当て板
４      ガイド柱体
５      摺動柱体
６      把持具
７      リリースボタン
８      キャスタ
１００  介護用移動具
２００  操作手段
２０１  ハンドル
【図１】
0003208305.tif 000003
【図２】
0003208305.tif 000004
【図３】
0003208305.tif 000005